(57)【特許請求の範囲】
【請求項１】
ソレノイドの励磁によってプランジャを前後方向に出没移動させ、該プランジャの先端側を発射位置に待機させたパチンコ球に衝突させて、遊技盤面上に球を打ち出す球発射装置において、
前記遊技盤面の裏側に取付けられ、ソレノイド本体をプランジャの移動方向とほぼ平行に移動可能に内装するケース部材を備え、該ケース部材の前後端面部に、プランジャの前後端側をそれぞれ摺動可能に嵌合させた状態で支持する挿通孔を設け、
前記プランジャの後端側に、前記プランジャが前方へ突出移動した際に、前記ソレノイド本体の後端側に弾撥的に衝突する弾性ストッパーを設け、
前記ケース部材内の前端側とソレノイド本体の前端側との間に、前記ソレノイド本体の後端側に対する前記弾性ストッパーの衝突によって、前記ケース部材内を前方移動する前記ソレノイド本体の衝撃力を吸収する前部緩衝部材を設け、
前記ソレノイド本体の後端側と前記プランジャの後端側との間に、突出移動して球を打ち出した前記プランジャを元の位置へ没入移動させる復帰用付勢部材を設け、
前記ケース部材内の後端側と弾性ストッパーとの間に、前記復帰用付勢部材の付勢力により元の位置に戻る前記プランジャの衝撃力を吸収するプランジャ用後部緩衝部材を設け、
前記ケース部材内の後端側と前記ソレノイド本体の後端側との間に、前記プランジャの後方への没入移動に伴って、前記ケース部材内を後方移動する前記ソレノイド本体の衝撃力を吸収するソレノイド本体用後部緩衝部材を設けたことを特徴とする球発射装置。
【請求項２】
前記ケース部材の内壁と、該内壁に摺接する前記ソレノイド本体の外壁との少なくとも一方に、摩擦力を減じさせる滑りシート材を設けたことを特徴とする請求項１記載の球発射装置。
【発明の詳細な説明】
【０００１】
【産業上の利用分野】
本発明は、パチンコ球を遊技媒体とするパチンコ機などの遊技機に装備され、ソレノイドの励磁によってプランジャを出没移動させ、該プランジャの先端側を発射位置に待機させたパチンコ球に衝突させて、遊技盤面上に球を打ち出す球発射装置に関する。
【０００２】
【従来の技術】
従来のパチンコ機において、ソレノイドを使用して球を打ち出す方式の球発射装置は、一般にはソレノイド本体を遊技盤面の裏側の所定位置に直接固設したり、或はソレノイド本体と遊技盤面の裏側との間にゴムなどの緩衝マウントを介在させて、遊技盤面の裏側の所定位置に固定したりしていた。
【０００３】
だが周知のように、前記方式の球発射装置では、ソレノイド本体を直接固設した場合、ソレノイド本体より出没するプランジャが移動する際の振動や、該プランジャの移動に伴ってソレノイド本体に伝わる衝撃力が緩和されることなく、そのまま遊技客の操作するハンドルに伝わってしまい、不快感を与えていた。また、ソレノイド本体を緩衝マウントを介在させて固定した場合、プランジャの移動に起因する振動や衝撃を適度に吸収できるが、該緩衝マウントの弾性変形によりソレノイド本体自体がグラつくように振動してしまい、安定した球の打ち出しが困難であった。
【０００４】
かかる問題を解決するために、例えば、特開昭６２−２９２１８４号や、特開平２−８００７３号において、衝撃力緩和及び振動防止構造を備えた球発射装置が提案されている。これらの球発射装置は、遊技盤面の裏側にガイドピンを打球の発射方向に対しほぼ平行に固定し、該ガイドピンをガイド孔内に挿通してガイドピンに沿い移動可能に設けた取付台に、ソレノイド本体を取付けると共に、取付台の前後に緩衝部材を当接して構成されている。また、ソレノイド本体より出没するプランジャの前後端側は、それぞれ取付台の前後方向にそのまま延出しており、特別に支持されてはいない。
【０００５】
【発明が解決しようとする課題】
しかしながら、前述した衝撃力緩和及び振動防止構造を備えた球発射装置では、ガイドピンを別途ブラケットを介して遊技盤面の裏側に固定したり、ソレノイド本体を取付台に取付けたり、更には取付台に前記ガイドピンに挿通するガイド孔を形成し、取付台をガイドピンにより移動可能に支持させたりと、装置全体の組み付け工数が多く、また、部品点数も多いため、コストアップの要因になるという問題点があった。
【０００６】
また、球の打ち出し時に、ソレノイド本体中の内周と該本体中を挿通するプランジャの外周との間の隙間や、ソレノイド本体と該本体を移動可能に支持する取付台との間の隙間などに起因して多少のガタつきが生じるために、ソレノイドの軸心がブレる場合があった。従って、従来の球発射装置の如くプランジャが直接的にはソレノイド本体にのみ支持されている場合、プランジャのブレをなくすという観点では確実性に乏しく、打球の発射方向がバラつく虞れがあった。
【０００７】
本発明は、このような従来技術が有する問題点に着目してなされたもので、簡易かつ容易な構成によって、ソレノイドのプランジャの移動に起因する振動を防止できると共に、衝撃を適度に緩和することができ、コストを大幅に低減することができるのみならず、球の打ち出し時におけるプランジャのブレを極力無くして、球の正確かつ安定した打ち出しが可能な球発射装置を提供することを目的としている。
【０００８】
【課題を解決するための手段】
かかる目的を達成するための本発明の要旨とするところは、次の各項に存する。
【０００９】
１  ソレノイド（１１）の励磁によってプランジャ（１３）を前後方向に出没移動させ、該プランジャ（１３）の先端側を発射位置に待機させたパチンコ球に衝突させて、遊技盤面（２ａ）上に球を打ち出す球発射装置（１０）において、
前記遊技盤面（２ａ）の裏側に取付けられ、ソレノイド本体（１１ａ）をプランジャ（１３）の移動方向とほぼ平行に移動可能に内装するケース部材（２０）を備え、該ケース部材（２０）の前後端面部（２４，２６）に、プランジャ（１３）の前後端側（１３ａ，１３ｂ）をそれぞれ摺動可能に嵌合させた状態で支持する挿通孔（２５，２７）を設け、
前記プランジャ（１３）の後端側（１３ｂ）に、前記プランジャ（１３）が前方へ突出移動した際に、前記ソレノイド本体（１１ａ）の後端側に弾撥的に衝突する弾性ストッパー（１７）を設け、
前記ケース部材（２０）内の前端側（２４）とソレノイド本体（１１ａ）の前端側との間に、前記ソレノイド本体（１１ａ）の後端側に対する前記弾性ストッパー（１７）の衝突によって、前記ケース部材（２０）内を前方移動する前記ソレノイド本体（１１ａ）の衝撃力を吸収する前部緩衝部材（３１）を設け、
前記ソレノイド本体（１１ａ）の後端側と前記プランジャ（１３）の後端側（１３ｂ）との間に、突出移動して球を打ち出した前記プランジャ（１３）を元の位置へ没入移動させる復帰用付勢部材（３０）を設け、
前記ケース部材（２０）内の後端側（２６）と弾性ストッパー（１７）との間に、前記復帰用付勢部材（３０）の付勢力により元の位置に戻る前記プランジャ（１３）の衝撃力を吸収するプランジャ用後部緩衝部材（３３）を設け、
前記ケース部材（２０）内の後端側（２６）と前記ソレノイド本体（１１ａ）の後端側との間に、前記プランジャ（１３）の後方への没入移動に伴って、前記ケース部材（２０）内を後方移動する前記ソレノイド本体（１１ａ）の衝撃力を吸収するソレノイド本体用後部緩衝部材（３２）を設けたことを特徴とする球発射装置（１０）。
【００１１】
２  前記ケース部材（２０）の内壁と、該内壁に摺接する前記ソレノイド本体（１１ａ）の外壁との少なくとも一方に、摩擦力を減じさせる滑りシート材（４０）を設けたことを特徴とする１項記載の球発射装置（１０）。
【００１２】
【作用】
ソレノイド（１１）の励磁によって、該ソレノイド本体（１１ａ）より出没移動するプランジャ（１３）の前後端側（１３ａ，１３ｂ）は、それぞれケース部材（２０）の前後端面部（２４，２６）に設けた挿通孔（２５，２７）に摺動可能に嵌合した状態で支持される。それにより、ソレノイド本体（１１ａ）に対してプランジャ（１３）が多少のガタつき得る状態にあっても、球の打ち出し時におけるプランジャ（１３）の軸心のブレをなくすことができ、打球の発射方向を一定に維持することができる。
【００１３】
球を打ち出す際に、ソレノイド（１１）の励磁によってプランジャ（１３）の前端側（１３ａ）は、ケース部材（２０）の前端面部（２４）の挿通孔（２５）内を摺動しつつ前方へ突出移動し、それに伴って、例えばプランジャ（１３）の後端側（１３ｂ）に設けられた弾性ストッパー（１７）がソレノイド本体（１１ａ）の後端側に弾撥的に衝突するなどして、ソレノイド本体（１１ａ）に衝撃が加わる。
【００１４】
かかる衝撃を受けた時にソレノイド本体（１１ａ）が振動しようとしても、ソレノイド本体（１１ａ）は、遊技盤面（２ａ）の裏側に取付けられたケース部材（２０）内にて移動が規制される。すなわち、ソレノイド本体（１１ａ）はケース部材（２０）内にて前記プランジャ（１３）の移動方向とほぼ平行に前方移動するだけであり、従って、プランジャ（１３）の移動方向と異なる方向への振動は抑えられる。また、前記ケース部材（２０）内を前方に移動するソレノイド本体（１１ａ）の衝撃力は、ケース部材（２０）内の前端側（２４）とソレノイド本体（１１ａ）の前端側との間に設けた前部緩衝部材（３１）によって吸収される。
【００１５】
一方、球を打ち出したプランジャ（１３）は、例えば、復帰用付勢部材（３０）の付勢力により元の位置へ没入移動し、その際のプランジャ（１３）の衝撃力は、前記ケース部材（２０）内の後端側（２６）と弾性ストッパー（１７）との間に設けたプランジャ用後部緩衝部材（３３）によって吸収される。また、前記プランジャ（１３）の後方への没入移動に伴って、前記ケース部材（２０）内を後方移動するソレノイド本体（１１ａ）の衝撃力は、前記ケース部材（２０）内の後端側（２６）とソレノイド本体（１１ａ）の後端側との間に設けたソレノイド本体用後部緩衝部材（３２）によって吸収される。従って、遊技客の操作するハンドルなどに不快に衝撃が伝わることはない。
【００１６】
以上のように、遊技盤面（２ａ）の裏側に取付けるケース部材（２０）内に、ソレノイド本体（１１ａ）をプランジャ（１３）の移動方向とほぼ平行に移動可能に内装するという簡易かつ容易な構成によって、ソレノイド（１１）のプランジャ（１３）の移動に起因するソレノイド本体（１１ａ）の振動を防止でき、また、前部緩衝部材（３１）やソレノイド本体用後部緩衝部材（３２）によって、ソレノイド本体（１１ａ）が前後移動する際の衝撃を適度に緩和することができる。
【００１７】
更に、前記ケース部材（２０）の内壁と、該内壁に摺接する前記ソレノイド本体（１１ａ）の外壁との少なくとも一方に、摩擦力を減じさせる滑りシート材（４０）を設けた場合には、前記ケース部材（２０）内においてソレノイド本体（１１ａ）を円滑に前後移動させることができ、摩擦により生じ得る振動や衝撃をより確実に抑制することができる。
【００１８】
【実施例】
以下、図面に基づき本発明の一実施例を説明する。
図１〜図５は本発明の一実施例を示している。
図５に示すように、本実施例に係る球発射装置１０は、パチンコ機１の遊技盤面２ａが形成された基枠２の裏側に配設され、上皿３に連通した球経路４を通って発射レール５の基端側に送られるパチンコ球を、遊技客のハンドル６の操作に応じて遊技盤面２ａの表面上に順次打ち出す装置である。
【００１９】
かかる球発射装置１０は、図１に示すように、ソレノイド１１の励磁によってプランジャ１３を前後方向に出没移動させ、該プランジャ１３の先端側を発射位置に待機させたパチンコ球に衝突させるように構成されており、ソレノイド１１と、ケース部材２０と、弾性ストッパー１７と、復帰用付勢部材３０と、前部緩衝部材３１と、ソレノイド本体用後部緩衝部材３２と、プランジャ用後部緩衝部材３３などを具備して成る。
【００２０】
ソレノイド１１は、図３に示すように、ソレノイド本体１１ａの内部の筒状コイル体１２にプランジャ１３を貫通させて、前記筒状コイル体１２に通電し励磁させることで、プランジャ１３が前方（図中で左方向）に突出移動するように構成されている。プランジャ１３の前端には、球に直接衝突させる打出部材１５が取付けられている。一方、プランジャ１３の後端には、プランジャ１３が筒状コイル体から抜け出るのを防止するストッパー１６が設けられている。
【００２１】
ストッパー１６の前側には、プランジャ１３が前方へ突出移動した際に、ソレノイド本体１１ａの後端側に弾撥的に衝突する弾性ストッパー１７がプランジャ１３の後端側に外嵌するように設けられている。この弾性ストッパー１７はゴムや軟質樹脂などにより成形したものであるが、バネ材を用いてもよい。また、前記ストッパー１６とソレノイド本体１１ａの後端面との間には、突出移動したプランジャ１３を元の位置へ戻すよう没入移動させる復帰用付勢部材３０がプランジャ１３の途中に巻き付くように設けられている。この復帰用付勢部材３０はコイルスプリングから成るが、ゴムや軟質樹脂などにより成形してもよい。
【００２２】
ケース部材２０は、図１及び図２に示すように前記ソレノイド本体１１ａをプランジャ１３の移動方向とほぼ平行に移動可能に内装する箱状の枠体である。更に詳しく言えば、ケース部材２０は、ソレノイド本体１１ａの外壁を殆ど隙間なく覆う両側の側面部２１，２１と上面部２２と底面部２３を有し、ケース部材２０の内部空間の大半の断面積は、ソレノイド本体１１ａの断面積より僅かに大きくなるよう形成されている。また、ケース部材２０の内部空間の長さは、ソレノイド本体１１ａの全長より長く形成されている。
【００２３】
ケース部材２０の前端側には前端面部２４が形成されており、かかる前端面部２４には、前記プランジャ１３の前端側１３ａを摺動可能に嵌合させた状態で支持する挿通孔２５が設けられている。一方、ケース部材２０の後端側には後端面部２６が形成されており、かかる後端面部２６には、前記プランジャ１３の後端側１３ｂを摺動可能に嵌合させた状態で支持する挿通孔２７が設けられている。このようにソレノイド本体１１ａから出没移動するプランジャ１３は、ケース部材２０の前後端面部２４，２６により直接的に支持されている。
【００２４】
また、ケース部材２０の後端側の断面積は、ソレノイド本体１１ａの断面積より小さくなるように形成されており、上面部２２と底面部２３の各内壁には、ソレノイド本体１１ａの後端が係合する段部２８，２８が形成されている。なお、ケース部材２０は、２つのケース半体を合わせて構成されるものであり、かかるケース半体を合せる際に、その内部空間にソレノイド１１を内装するようにして組立てられる。
【００２５】
このようなケース部材２０の構成により、その内部空間に内装されたソレノイド本体１１ａは上下方向や両側方向にはガタつくことなく、ケース部材２０内を前後方向、すなわちプランジャ１３の移動方向と平行に移動するようになっている。また、ケース部材２０の底面部２３の内壁と、該内壁に摺接するソレノイド本体１１ａの下側外壁との双方には、僅かな隙間を埋めると共に摩擦力を減じさせる滑りシート材４０，４０が接着されている。
【００２６】
滑りシート材４０は、エンジニアリングプラスチックの代表種であるポリアセタールを薄板状に成形したものであり、ポリアセタールの潤滑性や耐久性などの特性を活かして、前記ケース部材２０内におけるソレノイド本体１１ａの前後移動を円滑化するための部材である。なお、滑りシート材４０の材質はポリアセタールのみに限定されるものではなく、潤滑性や耐久性などを有する他の樹脂により成形してもよい。また、滑りシート材４０は、ケース部材２０の内壁とソレノイド本体１１ａの外壁との双方に必ずしも設ける必要はなく、少なくとも一方に設ければよい。
【００２７】
ケース部材２０の前端面部２４とソレノイド本体１１ａの前端面との間には、前部緩衝部材３１がプランジャ１３の前端側１３ａに巻き付くように設けられている。前部緩衝部材３１は、プランジャ１３の前方への突出移動に伴ってケース部材２０内を前方移動するソレノイド本体１１ａの衝撃力を吸収・緩和するものである。なお、本実施例では前部緩衝部材３１はコイルスプリングから成るが、ゴムや軟質樹脂などにより成形してもよい。
【００２８】
ケース部材２０の後端面部２６とソレノイド本体１１ａの後端面との間に位置する段部２８，２８の前側には、ソレノイド本体用後部緩衝部材３２，３２が設けられている。ソレノイド本体用後部緩衝部材３２は、プランジャ１３の後方への没入移動に伴い後方移動するソレノイド本体１１ａの衝撃力を吸収・緩和するものである。なお、本実施例ではソレノイド本体用後部緩衝部材３２はゴムや軟質樹脂などにより成形したものであるが、バネ材などを用いてもよい。
【００２９】
また、ケース部材２０の後端面部２６には、プランジャ用後部緩衝部材３３が設けられている。プランジャ用後部緩衝部材３３は、復帰用付勢部材３０の付勢力により元の位置に没入移動するプランジャ１３の衝撃力を吸収・緩和するものである。なお、プランジャ用後部緩衝部材３３も、前記ソレノイド本体用後部緩衝部材３２と同様にゴムや軟質樹脂などにより成形したものであるが、バネ材などを用いてもよい。
【００３０】
図４に示すように、球発射装置１０のケース部材２０は、その内部にあるソレノイド１１のプランジャ１３が突出した際にちょうど発射レール５の発射位置を臨むように基枠２の裏側に取付けられている。また、球発射装置１０の傍らには、プランジャ１３の出没移動に連動して、上皿３（図５参照）から球経路４に供給される球を発射レール５の発射位置に送り出す球送出し装置６０が配設されている。
【００３１】
球送出し装置６０は、下端をプランジャ１３の後端にあるストッパー１６に当接させた状態にて、枢軸６１ａを介して揺動可能に基枠２に枢支された連動部材６１と、該連動部材６１の上端に一端が屈曲可能に連結されたリンク部材６２と、枢軸６３ａを介して回動可能に基枠２に枢支され、かつ前記リンク部材６２の他端に押引き可能に連結された係脱部材６３と、該係脱部材６３の回動に伴い１歯分ずつ回転するよう配されたスプロケット６６とから構成されている。
【００３２】
スプロケット６６は、その外周の歯が球経路４の途中の開口部から球経路４内を臨む位置に枢支されている。係脱部材６３は、スプロケット６６の歯に対し交互に係合し該スプロケット６６の回転を規制する２つの爪部６４，６５を有している。このような球送出し装置６０は、プランジャ１３が１回出没移動する度に、球を発射レール５の発射位置に１個ずつ送り出すものであり、詳しい動作については後述する。
【００３３】
次に球発射装置１０の作用について説明する。
図１及び図２に示すように、ソレノイド本体１１ａより出没移動するプランジャ１３の前後端側１３ａ，１３ｂは、それぞれケース部材２０の前後端面部２４，２６に設けた挿通孔２５，２７に摺動可能に嵌合した状態で支持される。従って、筒状コイル体１２の内周とプランジャ１３の外周との間の隙間などに起因して、ソレノイド本体１１ａに対してプランジャ１３が多少ガタつき得る状態にあっても、プランジャ１３の軸心のブレをなくすことができ、打球の発射方向が安定する。
【００３４】
図５に示すハンドル６の操作に応じてソレノイド１１に通電すると、図１において筒状コイル体１２が励磁し、プランジャ１３の前端側１３ａが、ケース部材２０の前端面部２４の挿通孔２５内を摺動しつつ前方へ突出移動し、打出部材１５が待機位置にある球Ｐに衝突して打ち出す。このようなプランジャ１３の突出移動に伴って、図３に示すようにプランジャ１３の後端側に設けた弾性ストッパー１７が、ソレノイド本体１１ａの後端面に弾撥的に衝突するため、ソレノイド本体１１ａに前方への衝撃が加わる。
【００３５】
かかる衝撃を受けることで、ソレノイド本体１１ａが振動しようとしても、該ソレノイド本体１１ａは、基枠２の裏側に取付けられたケース部材２０内にて移動が規制される。すなわち、ソレノイド本体１１ａの外周はケース部材２０の両側面部２１，２１や上面部２２、底面部２３により四方から囲まれているため、ソレノイド本体１１ａはケース部材２０内にて、プランジャ１３の突出方向と一致する前方への移動のみが可能である。従って、プランジャ１３の移動方向と異なる上下方向や両側方向へのソレノイド本体１１ａの振動は抑えられる。
【００３６】
このように、ケース部材２０内にソレノイド本体１１ａを、プランジャ１３の移動方向とほぼ平行に移動可能に内装するという簡易かつ容易な構成によって、プランジャ１３の移動に起因するソレノイド本体１１ａの振動を効果的に防止できる。また、ケース部材２０内を前方移動するソレノイド本体１１ａの衝撃力は、前部緩衝部材３１により吸収・緩和されるため、球Ｐの打ち出し時に遊技客の操作するハンドル６などに不快に衝撃が伝わらない。
【００３７】
一方、ソレノイド本体１１ａが失磁すると、プランジャ１３は復帰用付勢部材３０の付勢力により元の位置へ没入移動し、それに伴いソレノイド本体１１ａに後方への衝撃が加わる。かかる衝撃を受けても、前述したようにソレノイド本体１１ａはケース部材２０内にて移動が規制され、ソレノイド本体１１ａはケース部材２０内にてプランジャ１３の没入方向と一致する後方への移動のみが可能であるから、上下方向や両側方向への振動は抑えられる。なお、プランジャ１３は没入移動時にも、その前後端１３ａ，１３ｂがケース部材２０の前後の挿通孔２５，２７に嵌合した状態で支持されており、軸心がブレることはない。
【００３８】
また、プランジャ１３自体の没入移動時の衝撃力は、ケース部材２０の後端面部２６に設けたプランジャ用後部緩衝部材３３により吸収・緩和される。更に、プランジャ１３の没入移動に伴うソレノイド本体１１ａの後方移動時の衝撃力は、ケース部材２０内の段部２８，２８に設けたソレノイド本体用後部緩衝部材３２，３２により吸収・緩和される。このように球Ｐの打ち出し終了時においても、遊技客の操作するハンドル６などに不快な衝撃が伝わらない。なお、ケース部材２０の内壁と、ソレノイド本体１１ａの外壁とに設けた滑りシート材４０によって、ケース部材２０内においてソレノイド本体１１ａは円滑に前後移動でき、摩擦により生じ得る振動や衝撃をより確実に抑制することができる。
【００３９】
図４に基づき、球発射装置１０に連動する球送出し装置６０の動作について説明する。
先ず、図示したようにソレノイド１１のプランジャ１３が没入位置にある時、連動部材６１の下端がプランジャ１３の後端のストッパー１６により後方へ押出され、連動部材６１は枢軸６１ａを支点として揺動する。これに伴いリンク部材６２は前方へ押出され、係脱部材６３が枢軸６３ａを中心として反時計方向に回動する。それにより、係脱部材６３の一の爪部６４がスプロケット６６の一つの歯に係合するため、スプロケット６６は回転不能に拘束されて、球経路４内の球の流下を阻止する。
【００４０】
次に、ソレノイド１１が励磁してプランジャ１３が突出移動すると、連動部材６１がプランジャ１３の押し付けから解放されるため、バネ６７の付勢力によりリンク部材６２は後方へ移動し、係脱部材６３が枢軸６３ａを中心として時計方向に回動する。それにより、係脱部材６３の一の爪部６４がスプロケット６６の一つの歯から離脱すると同時に、他の爪部６５が次の歯に係合し、直ちにスプロケット６６の回転を止めて歯の間の凹部に保持した球の送り出しをここで一旦止めることになる。
【００４１】
続いて、プランジャ１３が球Ｐを打ち出した後に没入移動すると、再び連動部材６１の下端がプランジャ１３により後方へ押出され、それに伴い前方へ押出されるリンク部材６２によって、係脱部材６３が反時計方向に回動する。それにより、係脱部材６３の他の爪部６５がスプロケット６６の一つの歯から離脱し、一の爪部６５が再び次の歯に係合してスプロケット６６の回転を止めるが、この間に球経路４内にて保持されていた１個の球が発射レール５の待機位置まで送り出される。
【００４２】
なお、前記実施例に係る球発射装置の具体的な形状は、図示したものに限定されるものではない。
【００４３】
【発明の効果】
本発明に係る球発射装置によれば、ソレノイド本体をプランジャの移動方向とほぼ平行に移動可能に内装するケース部材を備え、該ケース部材の前後端面部にプランジャの前後端側を嵌合させた状態で支持する挿通孔を設けたから、簡易かつ容易な構成によりプランジャの移動に起因するソレノイド本体の振動を防止でき、装置全体の組み付け工数や部品点数を削減することでコストをより低減することができ、また、球の打ち出し時におけるプランジャの軸心のブレをなくすことで、打球の発射方向を一定に維持することができる。また、前部緩衝部材やプランジャ用後部緩衝部材、及びソレノイド本体後部緩衝部材により、ソレノイド本体などが前後移動する際の衝撃を吸収・緩和することができる。
【図面の簡単な説明】
【図１】本発明の一実施例に係る球発射装置を構成するソレノイドのプランジャが没入位置にある状態を示す断面図である。
【図２】本発明の一実施例に係る球発射装置を構成するソレノイドのプランジャが突出位置にある状態を示す断面図である。
【図３】本発明の一実施例に係る球発射装置を構成するソレノイドの断面図である。
【図４】本発明の一実施例に係る球発射装置を基枠に取付けた状態を示す正面図である。
【図５】本発明の一実施例に係る球発射装置を装備したパチンコ機を示す背面図である。
【符号の説明】
１０…球発射装置
１１…ソレノイド
１３…プランジャ
２０…ケース部材
２５，２７…挿通孔
３０…復帰用付勢部材
３１…前部緩衝部材
３２…ソレノイド本体用後部緩衝部材
３３…プランジャ用後部緩衝部材
４０…滑りシート材
【図１】
0003734845.tif 000002
【図２】
0003734845.tif 000003
【図３】
0003734845.tif 000004
【図４】
0003734845.tif 000005
【図５】
0003734845.tif 000006